(57)【要約】【課題】容器内部の側面にスプーン等を置くのでは、持ち上げたり、運んだりした際に、食品の上に落ちてしまう。また、容器内部の側面と決めてしまうと、器の形が限定されることで、料理の範囲も狭まってしまう。  本発明は、調理等の手間を省き、雑菌等の侵入も防ぐことで、衛生的であり、一体型の為、移動時の持ち運びも楽になることを目的とするためのタッパー・一体型カトラリー・ホルダーを提供する。【解決手段】略長方形の容器本体内側中心部に、カトラリー・ホルダーを設けてあり、カトラリー（スプーン・フォーク・ナイフ等）を固定させ、フタには開閉をしやすくさせる為に、左右両端に丸型つまみ部を設け、容器本体とフタをつなぐ、カラーリングが設けられたことを特徴とする、タッパー・一体型カトラリー・ホルダー。【選択図】図１
2016083325.tif 000002
【特許請求の範囲】
【請求項１】
略長方形の容器本体内側中心部に、横幅約１５ミリ、高さ約３０ミリのカトラリー・ホルダーがあり、略長方形の容器本体のラインに沿って、片側に向って、容器本体の底面に、寝かされた状態にあり、カトラリー・ホルダー最下部は、容器本体の内側中心部に、接着されたような方法で、取り付けられている。
また、カトラリー・ホルダーの先端には、セットされた、カトラリー（スプーン・フォーク・ナイフ等）が容器本体を持ち運び動かしても、外れないように、深さ約５ミリ、幅約１０ミリの凹部が設けられており、凹部の先端には、左右から、向かい合うように、約５ミリのホルダー爪がついている。
略長方形の容器本体の中心部には、長さ約２２ミリ、厚さ約２ミリの棒状で、真横から見ると、アルファベットでいうＣの形状をした、リベット凹側が略長方形の容器の対角線にあり、カトラリー・ホルダーに対して、Ｃ形状の開き側向きで、固定されている。
そして、寝かされている、カトラリー・ホルダーの最下部には、長さ約２０ミリ、厚さ約１．５ミリの棒状のリベット凸側が、固定されており、カトラリー・ホルダーを立てた際に、リベット凸側が容器本体の底に固定されている、リベット凹側にはまり込むように固定されて、カトラリー・ホルダーを立てることができる。
また、略長方形の容器のフタがあり、フタの外周より約５ミリ内側には、凹形状の溝が外周に沿って、設けられており、略長方形の容器本体側の縁を覆い挟むようにして、フタを閉めることができる。容器のフタ内側の溝より、フタの外周までの約５ミリあるスペースにある、開き側の左右丸角には、フタをつまんで外せるように、容器本体には丸型の穴があけてあり、フタには同じサイズの、丸型つまみ部が設けてある。
また、略長方形のフタのスペース部固定側に、両端より均等位置に、直線約１０ミリのライン状の穴があいており、略長方形の容器本体片側の外部に沿って、リングレールが設けられており、フタにある、５ミリのスペース部固定側の穴と重なる位置に、フタと同じ直線約１０ミリのライン状の穴があいており、容器のフタと容器本体とが、直径約７ミリ、太さ幅約１０ミリの、カラーリングでつながる構造になっている。
また、カラーリングを取り付けることで、容器本体とフタとの間に、隙間をつくることで、容器細部についた汚れを落としやすくすることが設けられていることが設けられたタッパー・一体型カトラリー・ホルダー。
【発明の詳細な説明】
【技術分野】
【０００１】  本発明は、プラスチック容器・タッパー類の、中の食品と一緒に保管することができるカトラリー・ホルダーに関するものである。
【背景技術】
【０００２】  従来、食品を入れる容器は、毎回食品を取り出す際に、スプーン・フォーク・ナイフを使用後、洗ってまた使用する工程を繰り返しており、単なる容器にすぎなかった。
なお、容器内部にれんげ等の飲食用具を固定して収納することができ、包装の手間がかからず、飲食用具使用の際の便宜の良い食品容器が知られていた。（特許文献１参照）。
【先行技術文献】
【特許文献】
【０００３】
【特許文献１】  特許公開平９−３０５３１
【発明の概要】
【発明が解決しようとする課題】
【０００４】  容器内部の側面にスプーン等をおくのでは、持ち上げたり、運んだりした際に、食品の上に落ちてしまう。また、容器内部の側面と決めてしまうと、器の形が決まってしまい、料理の範囲も狭まってしまう。
本発明は、以上の問題点を解決するためになされたものである。
【課題を解決するための手段】
【０００５】  略長方形の容器本体内側中心部に、横幅約１５ミリ、高さ約３０ミリのカトラリー・ホルダーがあり、略長方形の容器本体のラインに沿って、片側に向って、容器本体の底面に、寝かされた状態にあり、カトラリー・ホルダー最下部は、容器本体の内側中心部に、接着されたような方法で、取り付けられている。
また、カトラリー・ホルダーの先端には、セットされた、カトラリー（スプーン・フォーク・ナイフ等）が容器本体を持ち運び動かしても、外れないように、深さ約５ミリ、幅約１０ミリの凹部が設けられており、凹部の先端には、左右から、向かい合うように、約５ミリのホルダー爪がついている。
略長方形の容器本体の中心部には、長さ約２２ミリ、厚さ約２ミリの棒状で、真横から見ると、アルファベットでいうＣの形状をした、リベット凹側が略長方形の容器の対角線にあり、カトラリー・ホルダーに対して、Ｃ形状の開き側向きで、固定されている。
そして、寝かされている、カトラリー・ホルダーの最下部には、長さ約２０ミリ、厚さ約１．５ミリの棒状のリベット凸側が、固定されており、カトラリー・ホルダーを立てた際に、リベット凸側が容器本体の底に固定されている、リベット凹側にはまり込むように固定されて、カトラリー・ホルダーを立てることができる。
また、略長方形の容器のフタがあり、フタの外周より約５ミリ内側には、凹形状の溝が外周に沿って、設けられており、略長方形の容器本体側の縁を覆い挟むようにして、フタを閉めることができる。容器のフタ内側の溝より、フタの外周までの約５ミリあるスペースにある、開き側の左右丸角には、フタをつまんで外せるように、容器本体には丸型の穴があけてあり、フタには同じサイズの、丸型つまみ部が設けてある。
また、略長方形のフタのスペース部固定側に、両端より均等位置に、直線約１１ミリのライン状の穴があいており、略長方形の容器本体片側の外部に沿って、リングレールが設けられており、フタにある、５ミリのスペース部固定側ライン状の穴と重なる位置に、フタと同じ直線約１１ミリのライン状の穴があいており、容器のフタと容器本体とが、直径約７ミリ、太さ幅約１０ミリの、カラーリングでつながる構造になっている。
また、カラーリングを取り付けることで、容器本体とフタとの間に、隙間をつくることで、容器細部についた汚れを落としやすくすることが設けられている。
以上の構造よりなるタッパー・一体型カトラリー・ホルダー。【０００６】  従来、不可能とされていた容器を、スプーン・フォーク・ナイフ等を、ホルダー保管でき、フタと容器本体との間に隙間をつくらない為、外部より雑菌等が侵入しにくい。
また、フタのつまみを無駄につくらないので、コンパクトにおさえて、スタイリッシュに見せることができる。バターケースとしても、バターを半分使用したところでホルダーが出てくる為、ホルダーを立て、バターナイフを固定できるので、従来の様に本体容器に立て掛けなくてすむ為、密閉した状態を保て、衛生的に向上させることができる。
また、高齢者等が一人でお食事を作るのに、無駄な動作がはぶける為、転倒やケガを回避できる。
【図面の簡単な説明】
【０００７】
【図１】本発明のつまみ部側を示す斜視図
【図２】本発明のカラーリング側を示す斜視図
【図３】本発明の平面図
【図４】本発明のカラーリング側を示す側面図
【図５】本発明の開いた状態を示す側面図
【図６】本発明のホルダーを示す平面図
【図７】本発明の開閉した状態を示す斜視図
【図８】本発明のスプーンを設置した状態を示す斜視図
【発明を実施するための形態】
【０００８】  以下、本発明の実施の形態を説明する。
略長方形の容器本体（１）内側中心部に、横幅約１５ミリ、高さ約３０ミリのカトラリー・ホルダーがあり、略長方形の容器本体のラインに沿って、片側に向って、容器本体の底面に、寝かされた状態にあり、カトラリー・ホルダー（５）最下部（６）は、容器本体（１）の内側中心部に、接着されたような方法で、取り付けられている。
また、カトラリー・ホルダー（５）の先端には、セットされた、カトラリー（７）（スプーン・フォーク・ナイフ等）が容器本体（１）を持ち運び動かしても、外れないように、深さ約５ミリ、幅約１０ミリの凹部（８）が設けられており、凹部（８）の先端には、左右から、向かい合うように、約５ミリのホルダー爪（９）がついている。
略長方形の容器本体（１）の中心部には、長さ約２２ミリ、厚さ約２ミリの棒状で、真横から見ると、アルファベットでいうＣの形状をした、リベット凹側（１０）が略長方形の容器の対角線にあり、カトラリー・ホルダーに対して、Ｃ形状の開き側向きで、固定されている。
そして、寝かされている、カトラリー・ホルダー（５）の最下部（６）には、長さ約２ミリ、厚さ約１．５ミリの棒状のリベット凸側（１１）が、固定されており、カトラリー・ホルダー（５）を立てた際に、リベット凸側（１１）が容器本体（１）の底に固定されている、リベット凹側（１０）にはまり込むように固定されて、カトラリー・ホルダー（５）を立てることができる。
また、略長方形の容器のフタ（２）があり、フタ（２）の外周より約５ミリ内側には、凹形状の溝（４）が外周に沿って、設けられており、略長方形の容器本体（１）側の縁（３）を覆い挟むようにして、フタ（２）を閉めることができる。容器のフタ（２）内側の溝（４）より、フタ（２）の外周までの約５ミリあるスペース（１５）にある、開き側の左右丸角には、フタ（２）をつまんで外せるように、容器本体（１）には丸型の穴（１８）があけてあり、フタ（２）には同じサイズの、丸型つまみ部（１２）が設けてある。
また、略長方形のフタ（２）のスペース部（１５）固定側に、両端より均等位置に、直線約１１ミリのライン状の穴（１３）があいており、略長方形の容器本体（１）の片側の外部に沿って、リングレール（１４）が設けられており、フタ（２）にある、５ミリのスペース部（１５）固定側ライン状の穴（１３）と重なる位置に、フタ（２）と同じ直線約１１ミリのライン状の穴（１３）があいており、容器のフタ（２）と容器本体（１）とが、直径約７ミリ、太さ幅約１０ミリの、カラーリング（１６）でつながる構造になっている。
また、カラーリング（１６）を取り付けることで、容器本体（１）とフタ（２）との間に、隙間（１７）をつくることで、容器細部についた汚れを落としやすくすることが設けられている。
【符号の説明】
【０００９】  １．容器本体、  ２．フタ、  ３．縁、  ４．溝、
５．カトラリー・ホルダー、  ６．最下部、
７．カトラリー（スプーン・フォーク・ナイフ等）、
８．凹部、  ９．ホルダー爪、  １０．リベット凹側、
１１．リベット凸側、  １２．丸型つまみ部、  １３．ライン状の穴、
１４．リングレール、  １５．スペース部、  １６．カラーリング、
１７．隙間、  １８．丸型の穴
【図１】
2016083325.tif 000003
【図２】
2016083325.tif 000004
【図３】
2016083325.tif 000005
【図４】
2016083325.tif 000006
【図５】
2016083325.tif 000007
【図６】
2016083325.tif 000008
【図７】
2016083325.tif 000009
【図８】
2016083325.tif 000010